(57)【要約】  【課題】  制御盤の外形寸法の縮小化と制御盤内の高密度化を図る。  【解決手段】  制御盤１は、背面パネル２の表面（内面）に並列に取付けられた複数の補助継電器３…３と、これら複数の補助継電器３…３の両側部に左右に配置された縦方向の配線ダクト４，５と、前記補助継電器３…３の下部に配置された端子台６と、を備えている。前記補助継電器３…３は、背面側を制御装置取付部材７によって背面パネル２の表面に取付けられていて、前記補助継電器３…３の背面と前記背面パネル２の間には前記制御装置取付部材７によって配線スペース８が形成されている。  【選択図】  図２
2006087253.tif 000002
【特許請求の範囲】
【請求項１】
背面パネルの内面に複数の制御装置を上下方向に並列に取付けてなる盤において、
前記制御装置を背面パネルの内面に取付ける制御装置取付部材によって取付けると共に、該制御装置取付部材によって前記背面パネルと前記制御装置の背面側との間に配線スペースを形成したことを特徴とする盤。
【請求項２】
前記制御装置取付部材は、前記背面パネルに取付ける第１の取付部と、前記制御装置に取付ける第２の取付部と、前記第１の取付部と第２の取付部の間に配置されていて前記配線スペースを形成する連結部と、で構成されていることを特徴とする請求項１に記載の盤。
【請求項３】
前記配線スペースには、配線ダクトが配置されていることを特徴とする請求項１または請求項２に記載の盤。
【発明の詳細な説明】
【技術分野】
【０００１】
本発明は、盤内の背面パネルの表面に表面接続型の補助継電器等の複数の制御装置を上下方向に並列に取付けた制御盤や配電盤等の盤に関するものである。
【背景技術】
【０００２】
複数の制御装置を上下方向に並列に取付けた制御盤として次のようなものが知られている。図４、図５に示すように、この制御盤１０１は、背面パネル１０２内に補強兼フレーム１０３が設けられている。この補強兼フレーム１０３にはパネル１０４が一定間隔でセットされていて、左右の垂直方向の配線ダクト１０５，１０６と合わせて取り付けられている。前記各パネル１０４には制御装置１０７と上下の水平方向の配線ダクト１０８が取り付けられている。
【０００３】
前記各制御装置１０７の端子部には電線１０９の一端を接続し、該電線１０９の他端を、前記上下の水平方向の配線ダクト１０８…１０８および左右の垂直方向の配線ダクト１０５，１０６を通して各パネル１０４相互の制御装置１０７を接続し、或いは制御装置１０７とサポート１１０に取り付けられている端子台１１１に接続する構成になっている。（特許文献１）
【特許文献１】実開平６−６６２１２号公報（段落０００６等）
【発明の開示】
【発明が解決しようとする課題】
【０００４】
ところで、前記従来の制御盤１０１においては、各制御装置１０７の上下に、水平方向の配線ダクト１０８…１０８を配置するためのスペースを確保することが必要となる。制御装置１０７の段数が少ない場合には前記スペースを充分に確保ることができるが、制御装置１０７の数を多くして制御盤内の高密度化を図るような場合には、充分なスペースを確保することが困難になる。
【０００５】
上述のような場合において充分なスペースを確保するためには、制御盤の外形寸法、特に高さ寸法を拡大することも考えられるが、近年、制御盤の外形寸法の縮小化（コンパクト化）が要求される傾向にあるため、制御盤の外形寸法の縮小化との調和を図りつつ制御盤内の高密度化を図ることができるようにすることが、この種の制御盤の課題とされている。
【０００６】
本願発明の目的は、盤内の高密度化と制御盤の外形寸法の縮小化との調和を図りつつ盤内の高密度化と盤の外形寸法の縮小化の両方を満足させることのできる制御盤や配電盤等の盤を提供することにある。
【課題を解決するための手段】
【０００７】
請求項１の発明は、背面パネルの内面に複数の制御装置を上下方向に並列に取付けてなる制御盤や配電盤等の盤において、
前記制御装置を背面パネルの内面に取付ける制御装置取付部材によって取付けると共に、該制御装置取付部材によって前記背面パネルと前記制御装置の背面側との間に配線スペースを形成した。
【０００８】
請求項２の発明は、請求項１に記載の盤において、
前記制御装置取付部材を、前記背面パネルに取付ける第１の取付部と、前記制御装置に取付ける第２の取付部と、前記第１の取付部と第２の取付部の間に配置されていて前記配線スペースを形成する連結部と、で構成した
請求項３の発明は、請求項１または請求項２に記載の盤において、
前記配線スペースに、配線ダクトを配置した。
【発明の効果】
【０００９】
（１）請求項１の発明は、制御装置を背面パネルの表面に取付ける制御装置取付部材によって背面パネルと制御装置の背面側との間に配線スペースを形成したので、上記従来の制御盤のように制御装置の上下に水平方向の配線ダクトを設ける必要がなくなりその分、制御盤の外形寸法の縮小化、特に高さ寸法を低くすることができる。また、制御盤の外形寸法を変えずに制御盤内の高密度化を図ることができる。
（２）請求項２の発明は、制御装置取付部材の第１の取付部を背面パネルに取付け、第２の取付部を制御装置に取付けることにより、背面パネルに制御装置を取付けることができると共に、前記第１の取付部と第２の取付部の間の連結部によって背面パネルと制御装置の背面側との間に配線スペースを形成することができる。
（３）請求項３の発明は、背面パネルと制御装置の背面側との間の配線スペースに配線ダクトを配置したので、該配線ダクトにより配線の効率化と保護を図ることができる。
【発明を実施するための最良の形態】
【００１０】
図１は制御盤の内部構造を示す正面図、図２は図１のＡ−Ａ断面図である。図１に示すように、制御盤１は、背面パネル２の内面に上下方向に並列に取付けられた複数の制御装置としての補助継電器３…３と、これら複数の補助継電器３…３の両側部に左右に配置された縦方向の配線ダクト４，５と、前記補助継電器３…３の下部に配置された端子台６と、を備えている。
【００１１】
図２に示すように、前記補助継電器３…３は、背面側を制御装置取付部材７によって背面パネル２の内面に取付けられていて、前記補助継電器３…３の背面と前記背面パネル２の間には前記制御装置取付部材７によって配線スペース８が形成されている。
【００１２】
前記制御装置取付部材７は、一端側に前記背面パネル２に取付ける第１の取付部７ａと、他端側に前記補助継電器３に取付ける第２の取付部７ｂと、前記第１の取付部７ａと第２の取付部７ｂを連結する連結部７ｃと、で断面略Ｕ字状に形成されている。
【００１３】
前記制御装置取付部材７は、第１の取付部７ａを前記背面パネル２に取付け、第２の取付部７ｂを前記補助継電器３の背面に取付けることにより、前記補助継電器３…３を前記背面パネル２に取付けると共に、前記連結部７ｃによって、前記補助継電器３…３と前記背面パネル２の間に配線スペース８を形成している。
【００１４】
従って、制御装置取付部材７で補助継電器３…３を背面パネル２に取付ければ、制御装置取付部材７の連結部７ｃで自ずと前記補助継電器３…３と前記背面パネル２の間に配線スペース８が形成された状態に成る。そこで、前記配線スペース８に、配線９を配置する。そして、前記配線９の一端側を、前記補助継電器３に接続し、他端側を前記縦方向の配線ダクト４，５を介して前記端子台６に接続するのである。
【００１５】
実施例の制御盤１は、上述のような構成であって、背面パネル２と補助継電器３の背面側との間に制御装置取付部材７によって配線スペース８を形成したので、上記従来の制御盤のように補助継電器等の制御装置の上下に水平方向の配線ダクト（配線スペース）を設ける必要がなくなりその分、制御盤の外形寸法の縮小化、特に高さ寸法を低くすることができる。また、制御盤の外形寸法を変えずに制御盤内の高密度化を図ることができる。
【００１６】
図３は、配線スペース８内に横方向の配線ダクト１０を配置した場合を示す。前記配線ダクト１０内に配線を配置することにより配線の保護等を図ることができる。他の構成は、図１、図２に示すものと同じであるので重複する説明は省略する。なお、上記実施例においては、盤として制御盤を例にとって説明したが配電盤であってもよい。制御装置も補助継電器に限定されるものではない。
【図面の簡単な説明】
【００１７】
【図１】制御盤の内部構造を示す正面図
【図２】図１のＡ−Ａ断面図
【図３】配線スペースに横方向の配線ダクトを配置した状態の断面図
【図４】従来例の制御盤の内部構造を示す正面図
【図５】図４のＢ−Ｂ断面図
【符号の説明】
【００１８】
１…制御盤
２…背面パネル
３…補助継電器（制御装置）
４，５…左右の縦方向の配線ダクト
６…端子台
７…制御装置取付部材
７ａ…第１の取付部
７ｂ…第２の取付部
７ｃ…連結部
８…配線スペース
９…配線
１０…横方向の配線ダクト
【図１】
2006087253.tif 000003
【図２】
2006087253.tif 000004
【図３】
2006087253.tif 000005
【図４】
2006087253.tif 000006
【図５】
2006087253.tif 000007